(57)【要約】【課題】外気温の変動に起因するフィルムやシートの厚みの変動、発泡倍率の変動等を抑制し、各種特性の精度の高いフィルムやシートを安定して製造できる押出機用ダイヘッドカバーを提供する。【解決手段】本発明の押出機用ダイヘッドカバーは、押出機の先端部に固定するダイヘッドのうちリップ部を除く部分の外周を被覆している。前記押出機用ダイヘッドカバーは、カバー内側に断熱構造を有していてもよい。ダイヘッドカバーは２以上に分割可能に形成されていてもよい。また、ダイヘッドカバーにはダイスリットのギャップ調整ネジ操作用の穴が設けられていてもよい。【選択図】        図１
2004249468.tif 000002
【特許請求の範囲】
【請求項１】
押出機の先端部に固定するダイヘッドのうちリップ部を除く部分の外周を被覆する押出機用ダイヘッドカバー。
【請求項２】
カバー内側に断熱構造を有する請求項１記載の押出機用ダイヘッドカバー。
【請求項３】
２以上に分割可能に形成されている請求項１又は２記載の押出機用ダイヘッドカバー。
【請求項４】
ダイスリットのギャップ調整ネジ操作用の穴が設けられている請求項１〜３の何れかの項に記載の押出機用ダイヘッドカバー。
【請求項５】
押出機が樹脂発泡体を製造する押出発泡成形用の押出機である請求項１〜４の何れかの項に記載の押出機用ダイヘッドカバー。
【請求項６】
ダイヘッドのうちリップ部を除く部分の外周が請求項１〜５の何れかの項に記載の押出機用ダイヘッドカバーにより被覆されている押出機用ダイヘッド。
【請求項７】
ダイタイプがサーキュラーダイである請求項６記載の押出機用ダイヘッド。
【発明の詳細な説明】
【０００１】
【発明の属する技術分野】
本発明は、樹脂フィルムや樹脂発泡体を製造するために使用する押出機用金型装置に関し、より詳細には、樹脂押出しに好適な押出機用ダイヘッドカバー及び押出機用ダイヘッドに関する。
【０００２】
【従来の技術】
樹脂フィルムの成形や発泡シートの成形においては、一般に平板状のＴダイやリング状のサーキュラーダイを備えた押出機が用いられる。押出機用のダイヘッドは、通常バンドヒーターや熱媒等で温度制御されているが、温調部分が外気にさらされている構造をとっている（特許文献１参照）。図２は従来の押出機用ダイヘッドを示す概略斜視図である。図２の押出機用ダイヘッドにおいて、１１はリップ部、１２はブレーカーブロック、１３はヘッドブロック、１４はダイ温度測定用鞘管を示す。なお、図には示していないが、通常、ヘッドブロック１３の外周にバンドヒーターや熱媒用ジャケットなどの加熱機構が付設されている。
【０００３】
このようなダイヘッドでは、外気温が必ず一定である場合には特に問題とならないが、通常の製造環境においては、昼夜或いは季節間で外気温に相当の変動があり、これがダイ温度の制御精度に影響し、樹脂温度の変化によってフィルムやシートの厚み精度の低下を引き起こすことがしばしばである。また、特に発泡シートを成形する場合には、樹脂温度が変化するとダイ内部の圧力も変化し、気泡（セル）の大きさに変動を来し、その結果として製品の外観の悪化や特性のバラツキをもたらすことになる。なお、ダイ内の樹脂温度は室内空調の空気の流れがダイヘッドに当たる場合にも、室内空調の温調の幅に対応して変動し、これによって成形品の品質にバラツキが生じることもある。
【０００４】
【特許文献１】
特開平５−２６１７２７号公報
【０００５】
【発明が解決しようとする課題】
従って、本発明の目的は、外気温の変動に起因するフィルムやシートの厚みの変動、発泡倍率の変動等を抑制し、各種特性の精度の高いフィルムやシートを安定して製造できる押出機用ダイヘッドカバー、及び押出機用ダイヘッドを提供することにある。
【０００６】
【課題を解決するための手段】
本発明者らは、上記の目的を達成するために鋭意検討した結果、押出機の先端部に固定するダイヘッドのうちリップ部を除く部分の外周をダイヘッドカバーによって被覆すると、外気温の変動に起因するダイ温度の変動を抑制でき、ひいてはフィルムやシートの特性のバラツキを抑えることのできることを見出し、本発明を完成した。
【０００７】
すなわち、本発明は、押出機の先端部に固定するダイヘッドのうちリップ部を除く部分の外周を被覆する押出機用ダイヘッドカバーを提供する。
【０００８】
前記押出機用ダイヘッドカバーは、カバー内側に断熱構造を有していてもよい。ダイヘッドカバーは２以上に分割可能に形成されていてもよい。また、ダイヘッドカバーにはダイスリットのギャップ調整ネジ操作用の穴が設けられていてもよい。前記押出機は樹脂発泡体を製造する押出発泡成形用の押出機であってもよい。
【０００９】
本発明は、また、ダイヘッドのうちリップ部を除く部分の外周が上記の押出機用ダイヘッドカバーにより被覆されている押出機用ダイヘッドを提供する。押出機用ダイヘッドのダイタイプにはサーキュラーダイなどが含まれる。
【００１０】
【発明の実施の形態】
以下に、本発明を必要に応じて図面を参照しつつ詳細に説明する。図１は本発明の押出機用ダイヘッドを示す概略斜視図である。この押出機用ダイヘッドは、ダイタイプがサーキュラーダイであり、リップ部（ダイブロック）１と、ブレーカーブロック２と、ヘッドブロック３とからなるダイヘッドと、該ダイヘッドのうちリップ部１を除く部分の外周を被覆している押出機用ダイヘッドカバー５とで構成されている。４はダイ温度測定用鞘管を示す。なお、図には示していないが、ヘッドブロック３の表面（ダイヘッドカバー５の内側）に加熱機構（バンドヒーター、熱媒用ジャケットなど）が付設されている。
【００１１】
ダイヘッドカバー５は２分割可能に形成されており、６はその分割部位（或いは接合部位）を示す。なお、ダイヘッドカバーは一体に形成されていてもよく、３以上に分割可能に形成されていてもよい。ダイヘッドカバー５が分割可能に形成されている場合には、ダイヘッドに鞘管やボルト等の突出物が付設されていても、その部位で分割可能に形成することにより、カバー５の装着作業や取り外し作業を簡易化できる。
【００１２】
上記の例では、ダイヘッドカバー５にダイスリット（図示せず）のギャップ調整ネジ操作用の孔７が設けられている。そのため、ダイヘッドカバー５を装着したまま、例えばドライバーなどをこの孔７に差し込んで、ダイスリットのギャップを調整することができる。
【００１３】
ダイヘッドカバー５を構成する材料としては、ダイヘッドの外周を被覆可能に形成できる材料であればよく、例えば、ステンレス板、鉄板などの金属板；耐熱性の高いプラスチック製の板などを使用できる。ダイヘッドカバー５とダイヘッド（ブレーカーブロック２、ヘッドブロック３）の表面との間には空気層、グラスウールやロックウールなどの断熱効果を持つ材料からなる繊維層又は多孔質層（発泡層を含む）などの断熱層を設けるのが好ましい。ダイヘッドカバー５の内側を断熱構造とすることにより、外気温のダイ内の樹脂温度等に与える影響をほぼ完全に無くすことができる。前記断熱層の厚さは、全体の大きさや断熱効果等を考慮して適宜設定できるが、一般には５〜３０ｍｍ、好ましくは１０〜２０ｍｍ程度である。
【００１４】
ダイヘッドのうちダイヘッドカバーで被覆される範囲は、リップ部を除く部分の外周の全部であるのが好ましいが、必ずしもそうである必要はなく、被覆が困難である部位など、断熱効果が損なわれない範囲で被覆されない部分が存在していてもよい。ダイのタイプは特に限定されず、Ｔダイであってもよい。
【００１５】
本発明の押出機用ダイヘッド及び押出機用ダイヘッドカバーによれば、ダイヘッドのうちリップ部を除く外周がダイヘッドカバーによって被覆されているため、ダイ内の樹脂温度が雰囲気温度に直接左右されることが無く、極めて精度の良い温度制御が可能となる。このため、フィルムやシートの厚みを精度良くコントロールでき、厚みや特性の昼夜間或いは季節間のバラツキを無くすことができる。また、ダイ内樹脂温度の変動の少ないことから、ダイ内圧力の変動も小さくできるので、押出し発泡により発泡体を成形する場合には、発泡倍率、成形品の密度、気泡径（セル径）等を精度良く制御でき、優れた外観及び所望の品質を有する発泡体を確実に安定して製造することが可能となる。さらに、従来のダイヘッドでは室内温調（空調）の空気の流れがダイヘッドにかかる場合、その温調幅が成形フィルムの厚み等に影響を及ぼすことがあったが、本発明によれば、室内温調の空気の流れがダイヘッドに当たる場合でもその影響が樹脂温度に及ばないので、寸法や特性において高い精度が要求される成形品を製造する場合であっても、温度制御に気を遣うことなく作業を行うことができる。
【００１６】
また、本発明によれば、ダイヘッドのリップ部はダイヘッドカバーに被覆されていないため、リップ部１の交換作業に支障を来すことが無く、製品の切り替え時において目的製品に応じたリップと容易に交換することができる。
【００１７】
本発明の押出機用ダイヘッド及び押出機用ダイヘッドカバーは、広範な樹脂の押出成形に利用できるが、ダイ内樹脂温度の変動が成形品の品質に大きな影響を与える極薄のフィルムや発泡体の成形に特に有用である。すなわち、樹脂発泡体を製造する押出発泡成形用の押出機等に好適に用いられる。その中でも、物理的発泡剤（クロロフルオロカーボン類、炭化水素類などの低沸点液体）を用いた発泡成形、二酸化炭素、窒素等の不活性ガス或いは無機ガス（超臨界流体を含む）を用いた発泡成形に好適であり、とりわけ溶解性が小さく圧力コントロールが重要な後者の発泡成形においてそのメリットが大きい。
【００１８】
【実施例】
以下、実施例によって本発明をより具体的に説明するが、本発明はこれらの実施例により何ら限定されるものではない。
【００１９】
実施例１
図１に示すダイヘッドカバーを装着した押出機用ダイヘッド（リング状ダイ；ダイヘッドカバーとダイヘッドの間に空気層が設けられている）を備えた押出機を用い、ダイ温度（ダイス温度）を１６７℃に設定し、室内空調の整った室内で、ポリプロピレン［チッソ（株）製、商品名「ニューフォーマーＦＨ６０００」］を物理発泡手法を用いて押出成形し、厚さ２ｍｍ（設定値）の発泡体を製造した。押出し開始３０分後から、鞘管４に挿入した温度計によりダイ温度の測定を開始し、１時間の間、ダイ温度の測定を続けた。そのときの温度変化を平均値、最大値、最小値、振れ幅（Ｒ）にて評価した。また、得られた発泡体の厚みと発泡倍率の平均値、最大値、最小値、振れ幅（Ｒ）を測定すると共に、外観状態を目視で評価した。これらの結果を表１に示す。
【００２０】
比較例１
図２に示す押出機用ダイヘッド（リング状ダイ）を備えた押出機を用いた以外は実施例１と同様にして、ポリプロピレン［チッソ（株）製、商品名「ニューフォーマーＦＨ６０００」］を押出発泡成形した。押出し開始３０分後から、鞘管４に挿入した温度計によりダイ温度の測定を開始し、１時間の間、ダイ温度の測定を続けた。そのときの温度変化を平均値（平均温度）、最大値（最高温度）、最小値（最低温度）、振れ幅（Ｒ）にて評価した。また、得られた発泡体の厚みと発泡倍率の平均値、最大値、最小値、振れ幅（Ｒ）を測定すると共に、外観状態を目視で評価した。これらの結果を表１に示す。
【００２１】
【表１】
2004249468.tif 000003
【００２２】
表１の評価結果より明らかなように、ダイヘッドの外周にダイヘッドカバーを装着することによってダイ温度の振れ幅を２．６℃から０．８℃まで１．８℃も小さくすることができ、これにより発泡体の厚みのバラツキを著しく低減できる。
【００２３】
【発明の効果】
本発明によれば、外気温の変動に起因するフィルムやシートの厚みの変動、発泡倍率の変動等を抑制し、各種特性の精度の高いフィルムやシートを安定して製造できる。
【図面の簡単な説明】
【図１】本発明の押出機用ダイヘッドを示す概略斜視図である。
【図２】従来の押出機用ダイヘッドを示す概略斜視図である。
【符号の説明】
１  リップ部
２  ブレーカーブロック
３  ヘッドブロック
４  ダイ温度測定用鞘管
５  押出機用ダイヘッドカバー
６  分割部位
７  孔
【図１】
2004249468.tif 000004
【図２】
2004249468.tif 000005